(57)【要約】【課題】トナー積層部を形成しない場合と比較して、用紙をめくりやすくすることができる画像形成装置を提供する。【解決手段】画像形成装置１０は、用紙８００にトナー像Ｉを形成するトナー像形成部１００を有し、トナー像形成部１００は、複数の用紙８００の予め定められた位置に、用紙８００と同色になるようにトナーが積層されたトナー積層部９００か、透明なトナーが積層されたトナー積層部９００かを形成する。【選択図】図３
2020052120.tif 000002
【特許請求の範囲】
【請求項１】
用紙にトナー像を形成するトナー像形成部を有し、
前記トナー像形成部は、複数の用紙の予め定められた位置に、用紙と同色になるようにトナーが積層されたトナー積層部又は透明なトナーが積層されたトナー積層部を形成する画像形成装置。
【請求項２】
前記トナー像形成部は、トナー像が形成されない領域である非画像形成領域にトナー積層部を形成する請求項１記載の画像形成装置。
【請求項３】
前記トナー像形成部は、複数の用紙の同じ位置にトナー積層部を形成する請求項１から２いずれ記載の画像形成装置。
【請求項４】
前記トナー像形成部は、複数の用紙の互いに異なる位置にトナー積層部を形成する請求項１から２いずれか記載の画像形成装置。
【請求項５】
前記トナー像形成部は、用紙の縁部にトナー積層部を形成する請求項１から４いずれか記載の画像形成装置。
【請求項６】
前記トナー像形成部は、用紙の縁部よりも内側にトナー積層部を形成する請求項１から４いずれか記載の画像形成装置。
【請求項７】
前記トナー像形成部は、トナーが積層されていない領域の周囲の少なくとも一部を囲むようにトナー積層部を形成する請求項１から４いずれか記載の画像形成装置。
【請求項８】
前記トナー像形成部は、用紙の綴じ処理が施される位置近傍の端部と向かい合う端部近傍にトナー積層部を形成する請求項１から４いずれか記載の画像形成装置。
【請求項９】
前記トナー像形成部は、前記トナー像形成部が形成可能な最大トナー積層高さとなるようトナー積層部を形成する請求項１から８いずれか記載の画像形成装置。
【請求項１０】
前記トナー像形成部は、トナー像の形成と同時にトナー積層部を形成する請求項１から９いずれか記載の画像形成装置。
【発明の詳細な説明】
【技術分野】
【０００１】
本発明は、画像形成装置に関する。
【背景技術】
【０００２】
特許文献１には、用紙に画像情報を印刷可能であって、複数枚の原稿を複数部数印刷する際に、それぞれの部数毎にグループ分けされる前記用紙の周縁の余白部に、前記グループを識別する識別マークを印刷するプリンタ部と、前記プリンタ部に前記用紙を搬送するとともに、前記プリンタ部で印刷した用紙を排紙部に搬送する搬送部と、を備える画像形成装置が記載されている。
【０００３】
特許文献２には、画像データに応じて、複数の用紙のページ毎に画像の印刷を行って前記用紙を順次排出する画像形成装置であって、前記ページの予め定められた領域に識別マークを印刷する印刷情報が入力されると、前記予め定められた領域を前記識別マークを印刷するマーク領域と前記識別マークを印刷しない非マーク領域とに分けて、前記排出された用紙に関して互いに隣り合う用紙の互いに対面するページ間において、前記マーク領域と前記非マーク領域とが互いに対応するように前記識別マークを配置するマーク配置情報を生成するマーク配置情報生成処理を実行する生成手段と、前記マーク配置情報と前記画像データとを合成した合成画像データに応じて、前記用紙に前記画像及び前記識別マークの印刷処理を行う印刷制御手段とを有することを特徴とする画像形成装置が記載されている。
【０００４】
特許文献３には、画像担持体上に形成した画像を記録用紙に転写して所望の画像を形成する印刷装置において、印刷された多数枚の記録用紙からなる用紙束の端面に表わされるエッジマークの資源を格納したエッジマーク資源記憶手段と、前記エッジマーク資源記憶手段から所定ライン数分のエッジマーク資源を切り出すライン切出し手段と、切出されたエッジマーク資源が前記画像担持体上の記録紙サイズに対応する画像形成領域の境界をまたぐように位置決めして、該エッジマーク資源および該画像形成領域内に形成される画像の印刷データの合成印刷データを作成する画像データ合成手段と、前記画像データ合成手段で作成された合成印刷データに基づいて前記画像担持体に画像を形成する画像形成手段と、前記ライン切出し手段によるエッジマーク資源の切出し範囲を、前記合成印刷データを所定印刷枚数分印刷する毎に、順次所定シフト量分ずらせていく切出し範囲シフト手段とを具備したことを特徴とする印刷装置が記載されている。
【先行技術文献】
【特許文献】
【０００５】
【特許文献１】特開２０１３−２２０６５９号公報
【特許文献２】特開２０１２−５８４５２号公報
【特許文献３】特開平１０−４４５５２号公報
【発明の概要】
【発明が解決しようとする課題】
【０００６】
複数の用紙にトナー像を形成する場合には、トナー像が形成された複数の用紙が重ねて出力される。このため、互いに隣り合う用紙が密着して、用紙をめくりにくくなる虞がある。
【０００７】
本発明は、トナー積層部を形成しない場合と比較して用紙をめくりやすくすることができる画像形成装置を提供することを目的とする。
【課題を解決するための手段】
【０００８】
請求項１に係る本発明は、
用紙にトナー像を形成するトナー像形成部を有し、
前記トナー像形成部は、複数の用紙の予め定められた位置に、用紙と同色になるようにトナーが積層されたトナー積層部又は透明なトナーが積層されたトナー積層部を形成する画像形成装置である。
【０００９】
請求項２に係る本発明は、前記トナー像形成部は、トナー像が形成されない領域である非画像形成領域にトナー積層部を形成する請求項１記載の画像形成装置である。
【００１０】
請求項３に係る本発明は、前記トナー像形成部は、複数の用紙の同じ位置にトナー積層部を形成する請求項１から２いずれ記載の画像形成装置である。
【００１１】
請求項４に係る本発明は、前記トナー像形成部は、複数の用紙の互いに異なる位置にトナー積層部を形成する請求項１から２いずれか記載の画像形成装置である。
【００１２】
請求項５に係る本発明は、前記トナー像形成部は、用紙の縁部にトナー積層部を形成する請求項１から４いずれか記載の画像形成装置である。
【００１３】
請求項６に係る本発明は、前記トナー像形成部は、用紙の縁部よりも内側にトナー積層部を形成する請求項１から４いずれか記載の画像形成装置である。
【００１４】
請求項７に係る本発明は、前記トナー像形成部は、トナーが積層されていない領域の周囲の少なくとも一部を囲むようにトナー積層部を形成する請求項１から４いずれか記載の画像形成装置である。
【００１５】
請求項８に係る本発明は、前記トナー像形成部は、用紙の綴じ処理が施される位置近傍の端部と向かい合う端部近傍にトナー積層部を形成する請求項１から４いずれか記載の画像形成装置である。
【００１６】
請求項９に係る本発明は、前記トナー像形成部は、前記トナー像形成部が形成可能な最大トナー積層高さとなるようトナー積層部を形成する請求項１から８いずれか記載の画像形成装置である。
【００１７】
請求項１０に係る本発明は、前記トナー像形成部は、トナー像の形成と同時にトナー積層部を形成する請求項１から９いずれか記載の画像形成装置である。
【発明の効果】
【００１８】
請求項１係る本発明によれば、トナー積層部を形成しない場合と比較して用紙をめくりやすくすることができる。
【００１９】
請求項３に係る本発明によれば、トナー像が形成される画像形成領域にトナー積層部を形成する場合と比較して、トナー像の画質の低下を抑制することができる。
【００２０】
請求項３に係る本発明によれば、複数の用紙の互いに異なる位置にトナー積層部を形成する場合と比較して、トナー積層部が形成された用紙を扱う者が、トナー積層部をみつけやすくすることができる。
【００２１】
請求項４に係る本発明によれば、複数の用紙の同じ位置にトナー積層部を形成する場合と比較して、複数の用紙を重ねた場合に生じる用紙束の変形を抑制することができる。
【００２２】
請求項５に係る本発明によれば、トナー積層部で用紙の縁部を保護することができ、用紙の内側にトナー積層部を形成する場合と比較して、用紙の縁部を傷みにくくすることができる。
【００２３】
請求項６に係る本発明によれば、用紙の縁部にトナー積層部を形成する場合と比較して、複数の用紙を重ねた場合に生じる用紙束の変形を生じにくくすることができる。
【００２４】
請求項７に係る本発明によれば、複数の用紙が重ねられた状態において、用紙のトナー積層部で囲まれた領域を押すことで、互いに隣り合う用紙と用紙との隙間が広がるように用紙を変形させることができる。
【００２５】
請求項８に係る本発明によれば、綴じ処理が施される位置と積層部が形成される位置とが用紙の同じ端部の近くに位置する場合と比較して、トナー像が形成された用紙を扱う者が用紙をめくる際に触れる位置の近くにトナー積層部を形成することができる。
【００２６】
請求項９に係る本発明によれば、トナー積層部が、トナー像形成部が形成可能な最大トナー積層高さでない場合と比較して、互いに隣り合う用紙間に形成される隙間を大きくすることができる。
【００２７】
請求項１０に係る本発明によれば、トナー像を形成した後又はトナー像を形成する前にトナー積層部を形成する場合と比較して、出力完了までの時間を短縮することができる。
【図面の簡単な説明】
【００２８】
【図１】本発明の実施形態である画像形成装置を示す断面図である。
【図２】トナー像とトナー積層部とが形成された複数の用紙が重ねられた状態を示す斜視図である。
【図３】トナー像とトナー積層部とが形成された用紙の例を示し、図３（Ａ）は、用紙の第１の例を示す図であり、図３（Ｂ）は、用紙の第２の例を示す図であり、図３（Ｃ）は、用紙の第３の例を示す図であり、図４（Ｄ）は、用紙の第４の例を示す図である。
【図４】トナー積層部の形状の例を示し、図４（Ａ）は、第１の形状の例を示す図であり、図４（Ｂ）は形状の第２の例を示す図であり、図４（Ｃ）は形状の第３の例を示す図であり、図４（Ｄ）は形状の第４の例を示す図である。
【図５】トナー積層部が形成され、重ねられた複数の用紙の変形を説明し、図５（Ａ）は、変形前の用紙を示す図であり、図５（Ｂ）は、変形後の用紙を示す図である。
【図６】操作パネルに表示される操作画面を示し、図６（Ａ）は、第１の操作画面を示す図であり、図６（Ｂ）は、第２の操作画面を示す図であり、図６（Ｃ）は、第３の操作画面を示す図であり、図６（Ｄ）は、第４の操作画面を示す図である。
【図７】図１に示す画像形成装置の制御部を説明するブロック図である。
【図８】図１に示す画像形成装置の制御を示すフローチャートである。
【発明を実施するための形態】
【００２９】
次に、本発明を実施するための形態を図面を参照して説明する。図１には、本発明の実施形態である画像形成装置１０が示されている。図１に示すように、画像形成装置１０は画像形成装置本体１２を有し、画像形成装置本体１２内に用紙８００にトナー像Ｉを形成するトナー像形成部１００が配置されている。トナー像形成部１００は、イエローのトナー像を形成する像形成ユニット１１０Ｙと、マゼンタのトナー像を形成する像形成ユニット１１０Ｍと、シアンのトナー像を形成する像形成ユニット１１０Ｃと、黒のトナー像を形成する像形成ユニット１１０Ｋと、白のトナー像を形成する像形成ユニット１１０Ｗと、透明なトナー像を形成する像形成ユニット１１０Ｔとを有する。
【００３０】
トナー像形成部１００は、転写装置１２０をさらに有する。転写装置１２０は、中間転写体１２２を有し、像形成ユニット１１０Ｙ、像形成ユニット１１０Ｍ、像形成ユニット１１０Ｃ、像形成ユニット１１０Ｋ、像形成ユニット１１０Ｗ、像形成ユニット１１０Ｔで形成されたトナー像Ｉが、中間転写体１２２にそれぞれに転写され、中間転写体１２２に転写されたトナー像Ｉが用紙８００へとさらに転写される。
【００３１】
トナー像形成部１００は、用紙８００に転写されたトナー像Ｉを用紙８００に定着する定着装置１３０をさらに有する。
【００３２】
画像形成装置本体１２内には、給紙装置２００がさらに配置されている。給紙装置２００は、用紙収納部２０２に収納された用紙８００をトナー像形成部１００に供給する。
【００３３】
画像形成装置本体１２内には、用紙収納部２０２に収納された用紙８００の色を検知する用紙色センサ２０４がさらに配置されている。
【００３４】
画像形成装置本体１２内には、搬送路２５０が形成されている。搬送路２５０は、給紙装置２００から供給された用紙８００をトナー像形成部１００へと搬送し、トナー像形成部１００で画像が形成された用紙８００を、画像形成装置本体１２外へと排出するように搬送する。
【００３５】
画像形成装置本体１２の例えば前側の面には、表示操作パネル３００が取り付けられている。表示操作パネル３００は、画像形成装置１０の状態を表示する表示手段の一例であって、画像形成装置１０を操作するための操作手段の一例である。この実施形態では、表示操作パネル３００として、タッチパネルが用いられている。尚、表示操作パネル３００の詳細は後述する。
【００３６】
以上のように構成された画像形成装置１０においては、トナー像形成部１００は、用紙８００にトナー像Ｉを形成するとともに、詳細を後述するトナー積層部９００を形成する。
【００３７】
図２は、トナー像形成部１００で、トナー像Ｉと、トナー積層部９００とが形成された複数の用紙８００の第１の例が重ねられた状態を示す斜視図である。図２に示すように、トナー像Ｉは、用紙８００の画像形成領域８１０内に形成されている。ここで、画像形成領域８１０とは、トナー像Ｉを形成可能な領域として予め定められた領域として定義され、例えば、表示操作パネル３００を用いて操作者が余白を定める操作をすること等により設定される。
【００３８】
用紙８００の表面は、上述の画像形成領域８１０と、非画像形成領域８２０とに分けられる。ここで、非画像形成領域８２０は、用紙８００の表面における画像形成領域８１０以外の領域として定義され、この実施形態においては、画像形成領域８１０の周囲に配置された所謂余白領域である。
【００３９】
トナー積層部９００は、この用紙８００の第１の例では、非画像形成領域８２０に形成されている。また、この用紙８００の第１の例では、トナー積層部９００は、用紙８００の縁部８０２近傍に形成されていて、縁部８０２にかからないように、用紙８００の内側に形成されている。ここで、用紙８００の縁部８０２近傍は、余白（余白領域）の一例であり、トナー積層部９００が形成される用紙８００の縁部よりも内側の一例である。
【００４０】
また、トナー積層部９００は、用紙と同色になるように、像形成ユニット１１０Ｙ、像形成ユニット１１０Ｍ、像形成ユニット１１０Ｃ、像形成ユニット１１０Ｋ及び像形成ユニット１１０Ｗの少なくとも１つを用いて形成されるか、像形成ユニット１１０Ｔを用いて透明なトナーが積層されるように形成される。ここで、同色とは、Ｘ−ｒｉｔｅ社製の分光測色計Ｘ−ｒｉｔｅ９６２で用紙と用紙上のトナー積層部を測定し、２つの色の色差が１０．０以下であれば同色だと判断する。
【００４１】
トナー積層部９００は、用紙８００表面の予め定められた位置に形成され、その位置は、複数の用紙８００の全てで同じ位置であってもよいし、全ての用紙８００で異なる位置であってもよい。また、例えば、連続して積層される１０枚の用紙８００毎にトナー積層部９００が形成される位置を替える等、予め定められた枚数毎にトナー積層部９００が形成される位置を変えるようにしてもよい。
【００４２】
また、この第１の例では、トナー積層部９００は円形となるように形成されている。
【００４３】
また、トナー積層部９００は、トナー像形成部１００の性能の許す範囲で最も厚くなるように形成することが望ましい。すなわち、トナー積層部９００は、トナー像形成部１００が形成可能な最大トナー積層高さとなるように形成することが望ましい。例えば、トナー積層部９００として、用紙８００と同色となるようにトナー積層部９００を形成する場合は、トナー像形成部１００で、その濃度が最大となるようにトナー積層部９００を形成することが望ましい。
【００４４】
尚、図２に示す複数の用紙８００（用紙８００の束）は、最上位に位置するものが、トナー像Ｉ及びトナー積層部９００が形成された面が下向きになるように、画像形成装置本体１２から最初に排出されるものであり、最下位に位置するものが、画像形成装置本体１２から最後に排出されるものである。
【００４５】
図２に示す例においては、複数の用紙８００の全てにトナー積層部９００が形成されているものの、例えば、画像形成装置本体１２本体から最初に排出される用紙８００であって、トナー像Ｉが形成された面が他の用紙８００に接触しない用紙８００については、トナー積層部９００を形成しないようにしてもよい。
【００４６】
図３には、トナー像Ｉと、トナー積層部９００とが形成された用紙８００の例が示されていて、図３（Ａ）には用紙８００の第１の例が、図３（Ｂ）には用紙８００の第２の例が、図３（Ｃ）には用紙８００の例が、図３（Ｄ）には用紙８００の第４の例が示されている。
【００４７】
図３（Ａ）に示す第１の例では、形成されるトナー積層部９００は先述のように円形であり、トナー積層部９００は、先述のように非画像形成領域８２０に形成されていて、縁部８０２近傍に形成されていて、縁部８０２にかからないように用紙８００の内側に形成されている。
【００４８】
また、図３（Ｂ）に示す第２の例では、トナー積層部９００は、例えば幅が一定の帯状となるように形成されている。また、この第２の例では、トナー積層部９００は、非画像形成領域８２０内に形成されていて、用紙８００の縁部８０２に重なるように形成されている。
【００４９】
また、図３（Ｃ）に示す第３の例では、トナー積層部９００は円形である。また、この第３の例では、トナー積層部９００は、非画像形成領域８２０内ではなく、画像形成領域８１０内に形成されている。このように、トナー積層部９００を画像形成領域８１０内に形成する場合は、トナー積層部９００を用紙８００と同色となるように形成するのではなく、透明なトナーが積層されるように形成することが望ましい。
【００５０】
また、図３（Ｄ）に示す第４の例では、トナー積層部９００は円形である。また、この第４の例では、トナー積層部９００は、複数の用紙８００が、例えば、ステープラーで綴じられる位置である綴位置８３０近傍の端部である縁部８０２Ｌと向かい合う縁部である縁部８０２Ｒ近傍に形成されている。
【００５１】
図４には、トナー積層部９００の形状の例が示されていて、図４（Ａ）にはトナー積層部９００の形状の第１の例が、図４（Ｂ）にはトナー積層部９００の形状の第２の例が、図４（Ｃ）にはトナー積層部９００の形状の第３の例が、図４（Ｄ）にはトナー積層部９００の形状の第４の例が示されている。
【００５２】
図４（Ａ）に示すトナー積層部９００の第１の例は、例えば、先述の用紙８００の第１の例（図３（Ａ）を参照）に形成されるトナー積層部９００であり、円形であって、内側が隙間なくトナーで埋められている。
【００５３】
一方、図４（Ｂ）、図４（Ｃ）及び図４（Ｄ）に示すように、第２の例、第３の例及び第４の例では、トナー積層部９００は、用紙８００のトナーが積層されていない領域８４０の少なくとも一部を囲むような形状に形成されている。より具体的には、図４（Ｂ）に示す第２の例では、トナーが積層されていない領域８４０を、例えば一定幅の円弧で囲むようにトナー積層部９００が形成されている。
【００５４】
また、図４（Ｃ）に示す第３の例では、トナーが積層されていない領域８４０を、例えば一定幅の帯で正方形状に囲むようにトナー積層部９００が形成されている。また、図４（Ｄ）に示す第４の例では、トナーが積層されていない領域８４０を、例えば一定幅の帯でコの字状に囲うようにトナー積層部９００が形成されている。尚、トナー積層部９００の形状は、先述のように、用紙８００の縁部８０２と重なる帯状のものであってもよい（例えば、図３（Ｂ）を参照）。
【００５５】
図５には、トナー積層部９００が、複数の用紙８００の例えば同じ位置に形成された複数の用紙８００の束であって、重ねられた状態にある複数の用紙８００の変形が説明されている。また、図５に示す例においては、形成されているトナー積層部９００は、例えば図４（Ｂ）、図４（Ｃ）、図４（Ｄ）等に示すように、トナーが積層されていない領域の少なくとも一部を囲むように形成されているものであるとする。
【００５６】
図５（Ａ）に示すように、例えば操作者が指で押す等、積層された複数の用紙８００のトナー積層部９００で囲まれたトナーが積層されていない領域８４０に圧力が加えられると、図５（Ｂ）に示すように、互いに隣り合う用紙８００の領域８４０が互いに接近するように、それぞれの用紙８００は、互いに隣り合う用紙８００の隙間が広がるように変形する。
【００５７】
図６には、表示操作パネル３００に表示される操作画面が示されていて、図６（Ａ）には第１の操作画面３１０が、図６（Ｂ）には第２の操作画面３１２が、図６（Ｃ）には第３の操作画面が、図６（Ｄ）には第４の操作画面が示されている。
【００５８】
第１の操作画面３１０は、トナー像Ｉとトナー積層部９００とを形成させるか、トナー像Ｉだけを形成させるかを操作者が選択する画面であり、トナー像Ｉとトナー積層部９００との両方を形成させる場合に操作者に触れられる操作ボタン３１０ａと、トナー積層部９００を形成せず、トナー像Ｉだけを形成させる場合に操作者に触れられる操作ボタン３１０ｂとが表示されている。
【００５９】
第２の操作画面３１２は、トナー積層部９００を透明なトナーで形成するか、トナー積層部９００を用紙８００と同色となるように形成するかを選択する画面であり、トナー積層部９００を透明なトナーで形成させたい場合に操作者に触れられる操作ボタン３１２ａと、用紙と同色となるようにトナー積層部９００を形成させる場合に操作者に触れられる操作ボタン３１２ｂとが表示されている。
【００６０】
第３の操作画面３１４は、トナー積層部９００を形成させる位置を選択する画面であり、例えば、図３（Ｂ）に示すように、縁部８０２にかかるようにトナー積層部９００を形成させる場合に操作者に振られる操作ボタン３１４ａと、例えば、図３（Ａ）、図３（Ｄ）に示すように、非画像形成領域８２０内にトナー積層部９００を形成させる場合に操作者に触れられる操作ボタン３１４ｂと、例えば、図３（Ｃ）に示すように、画像形成領域８１０内にトナー積層部９００を形成する場合に操作者に触れられる操作ボタン３１４ｃとが表示される。
【００６１】
第４の操作画面３１６は、トナー積層部９００の形状を選択する画面であって、図４（Ａ）に示す第１の例の形状でトナー積層部９００を形成させる場合に操作者に触れられる操作ボタン３１６ａと、図４（Ｂ）に示す第２の例の形状でトナー積層部９００を形成させる場合に操作者に触れられる操作ボタン３１６ｂと、図４（Ｃ）に示す第３の例の形状でトナー積層部９００を形成させる場合に操作者に触れられる操作ボタン３１６ｃと、図４（Ｄ）に示す第４の例の形状でトナー積層部９００を形成させる場合に操作者に触れられる操作ボタン３１６ｄとが表示される。
【００６２】
図７は、画像形成装置１０の制御部４００を示すブロック図である。図７に示すように、制御部４００は制御回路４０２を有し、制御回路４０２に通信インターフェイス４０４を介して、トナー像形成部１００で形成されるトナー像Ｉの画像データが入力される。また、制御回路４０２には、表示操作パネル３００からの出力と、用紙色センサ２０４からの出力とが入力される。また、制御回路４０２からの出力により、トナー像形成部１００が制御される。
【００６３】
図８は、制御部４００による制御を説明するフローチャートである。例えば、画像データが入力される等のタイミングで一連の操作が開始されると、最初のステップであるステップＳ１０で、制御部４００は、表示操作パネル３００を制御して、表示操作パネル３００に、第１の操作画面（図６（Ａ））を表示させる。
【００６４】
次のステップＳ１２では、制御部４００は、トナー積層部９００を形成するか否かの操作者の操作に投じて、トナー積層部９００を形成するとの操作がなされた場合、すなわち操作ボタン３１０ａが操作者によって触れられた場合はステップＳ１４に進む。一方、トナー積層部９００を形成しないとの操作がなされた場合、すなわち操作ボタン３１０ｂが操作者によって触れられた場合はステップＳ２８に進む。
【００６５】
ステップＳ１４では、制御部４００は、表示操作パネル３００を制御して、表示操作パネル３００の第２の操作画面３１２を表示させる。
【００６６】
次のステップであるステップＳ１６では、トナー積層部９００を形成するトナーの選択がなされることを待って、すなわち、操作画面３１２に表示されている操作ボタン３１２ａか操作ボタン３１２ｂかが操作者に触れられることを待って、次のステップＳ１８に進む。
【００６７】
次のステップであるステップＳ１８では、制御部４００は、表示操作パネル３００を制御して、表示操作パネル３００の第３の操作画面３１４を表示させる。
【００６８】
次のステップであるステップＳ２０では、トナー積層部９００を形成させる場所が選択されることを待って、すなわち、操作画面３１４に表示されている操作ボタン３１４ａか、操作ボタン３１４ｂか、操作ボタン３１４ｃかが操作者に触れられることを待って、次のステップであるステップＳ２２に進む。
【００６９】
次のステップであるステップＳ２２では、制御部４００は、表示操作パネル３００を制御して、表示操作パネル３００の第４の操作画面３１６を表示させる。尚、ステップＳ２０で、縁部にトナー積層部９００を形成することが選択された場合は、制御部４００は、表示操作パネル３００に第４の操作画面３１６を表示させず、後述するステップＳ２６に進む。
【００７０】
次のステップであるステップＳ２４では、形成するトナー積層部９００の形状が選択されることを待って、すなわち、操作画面３１６に表示されている操作ボタン３１６ａか、操作ボタン３１６ｂか、操作ボタン３１６ｃか、操作ボタン３１６ｄかが操作者に触れられることを待って、次のステップであるステップＳ２６に進む。
【００７１】
ステップＳ２６では、制御部４００は、ステップＳ１６で指定されたトナー積層部９００を形成するトナーと、ステップＳ２０で指定されたトナー積層部９００を積層する位置と、ステップＳ２４で指定されたトナー積層部９００の形状とに基づいて、トナー像形成部１００でトナー積層部９００を形成するためのデータを作成し、このデータを、通信インターフェイス４０４を介して入力された画像データと合成し、次のステップＳ２８に進む。尚、ステップＳ２０で、縁部にトナー積層部９００を形成することが選択された場合は、制御部４００は、用紙８００の縁部８０２に帯状のトナー積層部９００が形成されるように制御する。
【００７２】
ステップＳ２８では、ステップＳ１２でトナー積層部９００を形成しないとの選択がなされていた場合は、制御部４００は、トナー像形成部１００を制御して、トナー像形成部１００に通信インターフェイスを介して入力された画像データを用いてトナー像Ｉを形成させる。また、ステップＳ１２でトナー積層部９００を形成するとの選択がなされていた場合は、制御部４００は、トナー像形成部１００を制御して、ステップＳ２６で合成されたデータを用いて、トナー像Ｉとトナー積層部９００とをトナー像形成部１００に同時に形成させる。
【００７３】
そして、制御部４００は、ステップＳ３０で最後の用紙８００にトナー像Ｉか、トナー像Ｉとトナー積層部９００とが形成されたことを確認した後、一連の制御を終了させる。
【符号の説明】
【００７４】
１０・・・画像形成装置
１００・・トナー像形成部
１１０・・・像形成ユニット
３００・・・表示操作パネル
３１０・・・第１の操作画面
３１２・・・第２の操作画面
３１４・・・第３の操作画面
３１６・・・第４の操作画面
４００・・・制御部
８００・・・用紙
８０２、８０２Ｒ、８０２Ｌ・・・縁部
８１０・・・画像形成領域
８２０・・・非画像形成領域
８３０・・・綴位置
８４０・・・トナーが積層されていない領域
９００・・・トナー積層部
Ｉ・・・トナー像
【図１】
2020052120.tif 000003
【図２】
2020052120.tif 000004
【図３】
2020052120.tif 000005
【図４】
2020052120.tif 000006
【図５】
2020052120.tif 000007
【図６】
2020052120.tif 000008
【図７】
2020052120.tif 000009
【図８】
2020052120.tif 000010